(57)【要約】【課題】情報処理装置の復帰後電力状態を可変にする。【解決手段】第１電力状態、第１電力状態よりも消費電力の大きい第２電力状態、および、第２電力状態よりも消費電力の大きい第３電力状態を含む電力状態の何れかへ遷移する第１制御部と、第１通信路を介して第１信号を第１制御部へ入力可能であるとともに、第１通信路とは異なる第２通信路を介して第２信号を第１制御部へ入力可能な第２制御部とを具備する情報処理装置であって、第１制御部は、第１電力状態で第１信号が入力された場合、第２信号に応じて、第２電力状態および第３電力状態の何れの電力状態に遷移するかを決定する。【選択図】図１
2019161582.tif 000002
【特許請求の範囲】
【請求項１】
第１電力状態、前記第１電力状態よりも消費電力の大きい第２電力状態、および、前記第２電力状態よりも消費電力の大きい第３電力状態を含む電力状態の何れかへ遷移する第１制御部と、
第１通信路を介して第１信号を前記第１制御部へ入力可能であるとともに、前記第１通信路とは異なる第２通信路を介して第２信号を前記第１制御部へ入力可能な第２制御部とを具備する情報処理装置であって、
前記第１制御部は、前記第１電力状態で前記第１信号が入力された場合、前記第２信号に応じて、前記第２電力状態および前記第３電力状態の何れの電力状態に遷移するかを決定することを特徴とする情報処理装置。
【請求項２】
前記第２通信路は複数の信号線で構成され、
前記第１制御部は、前記複数の信号線を介して受信される信号の組合せに応じて、遷移する電力状態を決定する、ことを特徴とする請求項１に記載の情報処理装置。
【請求項３】
前記第１通信路は、前記第１信号を含む各種の信号を送信するイーサネット（登録商標）規格の信号線であり、
前記第２通信路は、前記第２信号を送信するための専用の信号線であることを特徴とする請求項１に記載の情報処理装置。
【請求項４】
第１電力状態、前記第１電力状態よりも消費電力の大きい第２電力状態、および、前記第２電力状態よりも消費電力の大きい第３電力状態を含む電力状態の何れかへ第１制御部を遷移させるステップと、
第１通信路を介して第１信号を第２制御部から前記第１制御部へ入力するステップと、
前記第１通信路とは異なる第２通信路を介して第２信号を前記第２制御部から前記第１制御部へ入力するステップとを具備する情報処理方法であって、
前記第１電力状態で前記第１信号が前記第１制御部へ入力された場合、前記第２信号に応じて、前記第２電力状態および前記第３電力状態の何れの電力状態へ前記第１制御部を遷移させるかを決定するステップを備えることを特徴とする情報処理方法。
【請求項５】
前記請求項４に記載の情報処理方法における各ステップをコンピュータに実行させることを特徴とするプログラム。
【請求項６】
第１電力状態、前記第１電力状態よりも消費電力の大きい第２電力状態、および、前記第２電力状態よりも消費電力の大きい第３電力状態を含む電力状態の何れかへ遷移する制御部と、
外部装置から第１通信路を介して第１信号を受信する第１受信部と、
前記外部装置から前記第１通信路とは異なる第２通信路を介して第２信号を受信する第２受信部と、を備え、
前記制御部は、前記第１電力状態で前記第１信号を受信した場合、前記第２信号に応じて、前記第２電力状態および前記第３電力状態の何れの電力状態に遷移することを特徴とする情報処理装置。
【発明の詳細な説明】
【技術分野】
【０００１】
本発明は、情報処理装置、情報処理方法、及びプログラムに関する。
【背景技術】
【０００２】
従来から、情報処理装置の電力状態を遠隔地から遷移させる技術が知られている。例えば、特許文献１には、Ｗａｋｅ  Ｏｎ  ＬＡＮの技術が開示される。以上の技術では、ＬＡＮ（Local Area Network）に接続された情報処理装置に対して、当該ＬＡＮに接続された他の装置からマジックパケットを送信可能である。マジックパケットを受信した情報処理装置は、省電力状態から予め定められた電力状態（以下「復帰後電力状態」という）に復帰する。
【発明の概要】
【発明が解決しようとする課題】
【０００３】
上述の従来技術では、情報処理装置の復帰後電力状態が変更できなかった。しかし、復帰後電力状態を変更したいという要望があった。以上の事情を考慮して、本発明は、復帰後電力状態を変更可能にすることを目的とする。
【課題を解決するための手段】
【０００４】
上記課題を解決するために、請求項１記載の発明は、第１電力状態、第１電力状態よりも消費電力の大きい第２電力状態、および、第２電力状態よりも消費電力の大きい第３電力状態を含む電力状態の何れかへ遷移する第１制御部と、第１通信路を介して第１信号を第１制御部へ入力可能であるとともに、第１通信路とは異なる第２通信路を介して第２信号を第１制御部へ入力可能な第２制御部とを具備する情報処理装置であって、第１制御部は、第１電力状態で第１信号が入力された場合、第２信号に応じて、第２電力状態および第３電力状態の何れの電力状態に遷移するかを決定することを特徴とする。
【発明の効果】
【０００５】
本発明によれば、情報処理装置の復帰後電力状態が変更可能になる。
【図面の簡単な説明】
【０００６】
【図１】情報処理装置の一例である複合機のハードウェア構成を説明するための図である。
【図２】第１実施形態で送受信される各種の信号の一例を説明するための図である。
【図３】情報処理装置の一例である複合機の機能ブロック図である。
【図４】電力状態の一例を説明するための図である。
【図５】第１実施形態における復帰フラグ、状態制御信号および電力状態の遷移を説明するための図である。
【図６】第１実施形態における電力状態が復帰するまでの具体例を説明するためのシーケンス図である。
【図７】第２実施形態で送受信される各種の信号の一例を説明するための図である。
【図８】第２実施形態における復帰フラグ、状態制御信号および電力状態の遷移を説明するための図である。
【図９】第２実施形態における電力状態が復帰するまでの具体例を説明するためのシーケンス図である。
【発明を実施するための形態】
【０００７】
以下、本発明を図面に示した実施形態により詳細に説明する。
図１は、情報処理装置の一例である複合機（ＭＦＰ：Multifunction Peripheral）１００のハードウェア構成を説明するための図である。図１に示す通り、複合機１００は、本体部１０および操作部２０を含んで構成される。
【０００８】
図１に示す通り、本体部１０は、ＣＰＵ（Central Processing Unit）１１、ＲＯＭ（Read Only Memory）１２、ＲＡＭ（Random Access Memory）１３、ＨＤＤ（Hard Disk Drive）１４、通信Ｉ／Ｆ（インターフェース）１５、接続Ｉ／Ｆ１６およびエンジン部１７を含む。各構成は、例えばデータバスを介して互いに通信可能である。なお、本体部１０のハードウェア構成は適宜に変更できる。
【０００９】
ＣＰＵ１１は、プログラムを実行することで各種の機能（例えば、後述の電力状態制御部１１３）を実現する。なお、ＣＰＵ１１に替えてＭＰＵ（Micro Processing Unit）をプロセッサとして採用してもよい。ＲＯＭ１２は、ＣＰＵ１１が実行するプログラムを含む各種の情報を不揮発的に記憶する。ＲＡＭ１３は、ＣＰＵ１１がプログラムを実行する場合に参照される情報が一時的に記憶される。ＨＤＤ１４は、各種の情報を不揮発的に記憶する。
【００１０】
複合機１００には電源コンセントが設けられる。電源コンセントが商用電源に接続された場合、本体部１０への電源の供給が開始される。電源の供給が開始された場合、本体部１０は、停電状態から所定の電力状態へ復帰する。例えば、電源の供給が開始された場合、本体部１０の電力状態はＳＴＲ（Suspended To Ram）状態に遷移する。
【００１１】
ＳＴＲ状態は、ＲＡＭ１３に記憶された情報を保持するための電力が供給され、他の電力の供給が原則停止される省電力状態である。詳細には後述するが、本実施形態の本体部１０は、消費電力が互いに異なる複数の電力状態（ＳＴＲ状態、エンジンＯＦＦ状態、静音状態、低電力状態および待機状態）に遷移可能である。
【００１２】
本体部１０は、第１信号線ＬＡを介して、操作部２０と通信する。本体部１０は、第１信号線ＬＡによりイーサネット（登録商標）規格の通信が可能である。例えば、ツイストペアケーブルが第１信号線ＬＡとして採用され得る。本体部１０は、第１信号線ＬＡを介してウェイクアップ信号（本発明の「第１信号」）を含む各種の信号を操作部２０から受信する。また、本体部１０は、第２信号線ＬＢを介して、操作部２０と通信する。
【００１３】
本体部１０は、ウェイクアップ信号を受信した場合、電力状態を遷移（復帰）させる。詳細には後述するが、本体部１０は、ＳＴＲ状態でウェイクアップ信号を受信した場合、第２信号線ＬＢからの信号に応じた種類の電力状態（エンジンＯＦＦ状態、静音状態、低電力状態および待機状態の何れか）に復帰する。すなわち、ＳＴＲ状態から復帰した直後の本体部１０の電力状態は、第２信号線ＬＢからの信号に応じて変化するとも換言される。
【００１４】
図１に示す通り、本体部１０は、上述の第１信号線ＬＡおよび第２信号線ＬＢに加え、起動信号線ＬＫを介して操作部２０と接続される。上述の電源コンセントが商用電源に接続され、本体部１０への電源の供給が開始された場合、起動信号線ＬＫを介して、起動信号が操作部２０に入力される。
【００１５】
操作部２０は、起動信号が入力された場合、停電状態から所定の電力状態へ復帰する。例えば、起動信号が入力された場合、操作部２０はスリープ状態に遷移する。スリープ状態は、ＲＡＭ２３に記憶された情報を保持するための電力が供給され、他の電力の供給が原則停止された省電力状態である。
【００１６】
本体部１０は、第３信号線ＬＣを介して、外部コンピュータと通信する。具体的には、本体部１０の通信Ｉ／Ｆ１５には、第３信号線ＬＣの一端が接続される。また、第３信号線ＬＣの他端は、ネットワークＮ（ＬＡＮ（Local Area Network））と接続される。以上の構成では、ネットワークＮに接続された外部コンピュータは、本体部１０と通信可能である。
【００１７】
ネットワークＮに接続された外部コンピュータは、本体部１０に対して各種のデータを送信できる。本体部１０は、外部コンピュータからのデータに応じた処理を実行する。例えば、本体部１０は、外部コンピュータから印刷ジョブを受信した場合、エンジン部１７を制御して、当該印刷ジョブに応じた画像を印刷する。
【００１８】
図１に示す通り、操作部２０は、ＣＰＵ２１、ＲＯＭ２２、ＲＡＭ２３、フラッシュメモリ２４、通信Ｉ／Ｆ２５、接続Ｉ／Ｆ２６および操作パネル２７を含む。各構成は、例えばデータバスを介して互いに通信可能である。なお、操作部２０のハードウェア構成は適宜に変更できる。なお、操作部２０は、本体１０に対して着脱可能に設けられていても良く、スマートフォンやタブレット端末など、本体１０とは独立して使用することも可能な端末であっても良い。
【００１９】
操作パネル２７は、複合機１００のユーザにより操作される。具体的には、操作パネル２７は、液晶表示装置を含む。液晶表示装置は、ボタン画像を含む各種の画像を表示する。ボタン画像を適宜にユーザが操作することで、複合機１００を動作（例えば印刷を実行）させることができる。なお、各種の画像を表示する表示装置として液晶表示装置を採用したが、他の表示装置を採用してもよい。
【００２０】
ＣＰＵ２１は、プログラムを実行することで各種の機能（例えば、後述の電力状態制御部１２３）を実現する。なお、ＣＰＵ２１に替えてＭＰＵをプロセッサとして採用してもよい。ＲＯＭ２２は、ＣＰＵ２１が実行するプログラムを含む各種の情報を不揮発的に記憶する。ＲＡＭ２３は、ＣＰＵ２１がプログラムを実行する場合に参照される情報が一時的に記憶される。フラッシュメモリ２４は、各種の情報を不揮発的に記憶する。
【００２１】
操作部２０は、通信Ｉ／Ｆ２５により、複合機１００の外部コンピュータとネットワークＮを介して通信する。操作部２０の通信Ｉ／Ｆ２５には、上述の本体部１０の通信Ｉ／Ｆ１５と同様に、第３信号線ＬＣが接続される。操作部２０の接続Ｉ／Ｆ２６には、上述の第１信号線ＬＡおよび第２信号線ＬＢが接続される。
【００２２】
本実施形態では、Ｗａｋｅ Ｏｎ ＬＡＮの技術が採用され、ＬＡＮ（ネットワークＮ）に接続された外部コンピュータを操作することにより、操作部２０の電力状態をスリープ状態から復帰させることができる。具体的には、外部コンピュータを操作することで、マジックパケット（Ｍａｇｉｃ  Ｐａｃｋｅｔ）を操作部２０に送信できる。操作部２０は、マジックパケットを受信した場合、スリープ状態から復帰する。
【００２３】
また、操作部２０がスリープ状態から復帰する場合、ウェイクアップ信号が本体部１０に入力され、本体部１０の電力状態が復帰する。なお、本体部１０にウェイクアップ信号が入力される契機は適宜に変更できる。例えば、操作部２０に省電力状態復帰ボタンを設け、当該省電力状態復帰ボタンが操作された場合、ウェイクアップ信号が本体部１０に入力される構成としてもよい。
【００２４】
図２は、本体部１０および操作部２０において送受信される各種の信号の一例を説明するための図である。
【００２５】
図２に示す通り、操作部２０の通信Ｉ／Ｆ２５には、第３信号線ＬＣが接続され、ネットワークＮからデータ信号が入力される。通信Ｉ／Ｆ２５としては、例えば、ネットワークカード（ＬＡＮカード）が採用される。ただし、ネットワークカード以外を通信Ｉ／Ｆ２５として採用してもよい。
【００２６】
ネットワークＮからのデータ信号は、パケット情報として操作部２０で受信される。データ信号としては、例えば、操作部２０の電力状態をスリープ状態から復帰させるためのマジックパケットが想定される。複合機１００がシャットダウンされた状態（省電力状態）であっても、ネットワークカードには電源が供給され、操作部２０はマジックパケットを受信できる。本体部１０の通信Ｉ／Ｆ１５には、操作部２０の通信Ｉ／Ｆ２５と同様に、ネットワークＮからパケット情報が入力される。
【００２７】
図２に示す通り、本体部１０の接続Ｉ／Ｆ１６は、データ通信用Ｉ／Ｆ１６ａおよび状態制御用Ｉ／Ｆ１６ｂを含む。また、操作部２０の接続Ｉ／Ｆ２６は、データ通信用Ｉ／Ｆ２６ａおよび状態制御用Ｉ／Ｆ２６ｂを含む。データ通信用Ｉ／Ｆ１６ａおよびデータ通信用Ｉ／Ｆ２６ａは、上述の通信Ｉ／Ｆ２５と同様に、ネットワークカードが採用される。ただし、データ通信用Ｉ／Ｆ１６ａおよびデータ通信用Ｉ／Ｆ２６ａをネットワークカード以外で構成してもよい。また、接続Ｉ／Ｆ１６及び接続Ｉ／Ｆ２６は、第１信号線信号線ＬＡ及び第２信号線ＬＢを有するが、有線通信に代えて無線通信によりウェイクアップ信号及び後述する状態制御信号を送受信する構成であっても良い。なお、データ通信用Ｉ／Ｆ１６ａとデータ通信用Ｉ／Ｆ２６ａは、第１受信部の一例であり、状態制御用Ｉ／Ｆ１６ｂと状態制御用Ｉ／Ｆ２６ｂは第２受信部の一例である。
【００２８】
データ通信用Ｉ／Ｆ１６ａおよびデータ通信用Ｉ／Ｆ２６ａは、第１信号線ＬＡを介して、各種のデータ信号を送受信する。第１信号線ＬＡにより伝送されるデータ信号としては、例えば、画像を印刷するための各種の情報が含まれる。また、操作部２０から本体部１０に送信されるデータ信号には、ウェイクアップ信号が含まれる。
【００２９】
本体部１０がＳＴＲ状態であっても、データ通信用Ｉ／Ｆ１６ａを構成するネットワークカードには電源が供給される。したがって、本体部１０がＳＴＲ状態であっても、データ通信用Ｉ／Ｆ１６ａによりウェイクアップ信号が受信される。なお、本体部１０がＳＴＲ状態では、データ通信用Ｉ／Ｆ１６ａにウェイクアップ信号以外の信号が入力された場合、当該信号は破棄される（受信されない）。
【００３０】
操作部２０の状態制御用Ｉ／Ｆ２６ｂは、状態制御信号（本発明の「第２信号」）を出力する。状態制御用Ｉ／Ｆ２６ｂから出力された状態制御信号は、上述の第２信号線ＬＢを介して、本体部１０の状態制御用Ｉ／Ｆ１６ａに入力される。状態制御信号は、本体部１０がウェイクアップ信号を受信した場合の電力状態を制御する（可変にする）ための信号である。
【００３１】
図２に示す通り、本実施形態の第２信号線ＬＢは、複数の信号線で構成される。具体的には、第２信号線ＬＢは、第２信号線ＬＢ１および第２信号線ＬＢ２を含む。第２信号線ＬＢ１を介して、操作部２０から本体部１０へ状態制御信号ｘが入力される。また、第２信号線ＬＢ２を介して、操作部２０から本体部１０へ状態制御信号ｙが入力される。
【００３２】
状態制御信号ｘおよび状態制御信号ｙは、ＯＮ状態またはＯＦＦ状態に変化する。操作部２０は、ウェイクアップ信号を送信する場合に、状態制御信号の各々をＯＮ状態またはＯＦＦ状態にする。詳細には後述するが、状態制御信号の状態（ＯＮ／ＯＦＦ）の組合せに応じて、本体部１０が復帰する電力状態が決定される。
【００３３】
なお、本体部１０の各Ｉ／Ｆ（１５、１６ａ、１６ｂ）は、単一のデバイスで構成してもよいし、別々のデバイスで構成してもよい。また、操作部２０の各Ｉ／Ｆ（２５、２６ａ、２６ｂ）は、単一のデバイスで構成してもよいし、別々のデバイスで構成してもよい。
【００３４】
図３は、本実施形態における複合機１００の機能ブロック図である。図２に示す通り、複合機１００は、第１制御部１１０および第２制御部１２０を含む。上述の本体部１０（ＣＰＵ１１）がプログラムを実行することで、第１制御部１１０として機能する。また、操作部２０（ＣＰＵ２１）がプラグラムを実行することで、第２制御部１２０として機能する。
【００３５】
図３に示す通り、第１制御部１１０は、通信部１１１、決定部１１２および電力状態制御部１１３を含む。また、第２制御部１２０は、通信部１２１、復帰フラグ記憶部１２２および電力状態制御部１２３を含む。第２制御部１２０の通信部１２１は、上述のウェイクアップ信号および状態制御信号を第１制御部１１０へ送信する。第１制御部１１０の通信部１１１は、ウェイクアップ信号および状態制御信号を受信する。
【００３６】
第２制御部１２０の復帰フラグ記憶部１２２は、復帰フラグを記憶する。詳細には後述するが、第１制御部１１０の複数の電力状態（エンジンＯＦＦ状態、静音状態、低電力状態および待機状態）の各々に対応する複数の復帰フラグ（１〜４）が設けられる。
【００３７】
本実施形態では、ウェイクアップ信号が出力される前に、復帰フラグ記憶部１２２に復帰フラグが予め記憶される。例えば、上述の操作パネル２７をユーザが適宜に操作することで復帰フラグが記憶される。なお、複合機１００の開発段階において復帰フラグが記憶され、ユーザが変更できない構成としてもよい。
【００３８】
図４は、復帰フラグおよび電力状態の関係を説明するための図である。本実施形態の第１制御部１１０は、ＳＴＲ状態（第１電力状態）、エンジンＯＦＦ状態（第２電力状態）、静音状態（第３電力状態）、低電力状態および待機状態を含む電力状態に遷移する。なお、第１制御部１１０が遷移する電力状態は適宜に変更できる。
【００３９】
待機状態は、第１制御部１１０（本体部１０）における全ての電力供給先に電力が供給され、画像の印刷などが直ちに実行可能な電力状態である。低電力状態は、待機状態に直ちに遷移可能な電力状態である。低電力状態では、第１制御部１１０における一部の構成に対する電力が低下する。静音状態は、低電力状態において冷却用のファンへの電力供給がさらに停止した電力状態である。
【００４０】
エンジンＯＦＦ状態は、静音状態においてエンジン部１７への電力供給がさらに停止した電力状態である。ＳＴＲ状態は、ＲＡＭ１３に記憶された情報が保持される電力が供給され、他の各構成への電力の供給が原則停止された電力状態である。
【００４１】
第１制御部１１０の消費電力は、ＳＴＲ状態、エンジンＯＦＦ状態、静音状態、低電力状態、待機状態の順に大きくなる。図４に示す通り、エンジンＯＦＦ状態は復帰フラグ「１」に対応し、静音状態は復帰フラグ「２」に対応し、低電力状態は復帰フラグ「３」に対応し、待機状態は復帰フラグ「４」に対応する。
【００４２】
詳細には後述するが、第２制御部１２０（復帰フラグ記憶部１２２）が記憶する復帰フラグに応じた状態制御信号（ｘ、ｙ）が第１制御部１１０に送信される。当該状態制御信号を受信した第１制御部１１０は、第２制御部１２０が記憶する復帰フラグに対応する電力状態に復帰する。以上の通り、第２制御部１２０が記憶する復帰フラグは、第１制御部１１０の復帰後の電力状態を規定する。
【００４３】
図４に示す通り、第２制御部１２０は、液晶ＯＮ状態、液晶ＯＦＦ状態およびスリープ状態に電力状態が遷移する。液晶ＯＮ状態は、液晶表示装置が点灯した電力状態である。液晶ＯＦＦ状態は、液晶ＯＮ状態において液晶表示装置への電力の供給が停止した状態である。
【００４４】
スリープ状態は、ＲＡＭ２３に記憶された情報が保持される電力が供給され、他の各構成への電力の供給が原則停止された電力状態である。第２制御部１２０における消費電力は、スリープ状態、液晶ＯＦＦ状態、液晶ＯＮ状態の順に高くなる。なお、第２制御部１２０が遷移する電力状態は適宜に変更できる。
【００４５】
本実施形態では、第１制御部１１０がＳＴＲ状態の場合、第２制御部１２０はスリープ状態になる。また、第２制御部１２０は、第１制御部１１０にウェイクアップ信号を送信する場合、復帰フラグ記憶部１２２が記憶する復帰フラグに応じた電力状態に遷移する。具体的には、復帰フラグが数値「１」から数値「３」の場合、第２制御部１２０は液晶ＯＦＦ状態に遷移する。また、復帰フラグが数値「４」の場合、第２制御部１２０は液晶ＯＮ状態に遷移する。
【００４６】
以上の構成では、第１制御部１１０がエンジンＯＦＦ状態に復帰する場合、第２制御部１２０は液晶ＯＦＦ状態に遷移する（復帰フラグ＝１）。ただし、第１制御部１１０がエンジンＯＦＦ状態に遷移する場合、第２制御部１２０がスリープ状態に遷移する構成としてもよい。また、第１制御部１１０がエンジンＯＦＦ状態に遷移する場合、第２制御部１２０が液晶ＯＮ状態に遷移する構成としてもよい。
【００４７】
第１制御部１１０が静音状態に遷移する場合、第２制御部１２０は液晶ＯＦＦ状態に遷移する（復帰フラグ＝２）。また、第１制御部１１０が低電力状態に遷移する場合、第２制御部１２０は液晶ＯＦＦ状態に遷移する（復帰フラグ＝３）。ただし、第１制御部１１０が静音状態または低電力状態に遷移する場合、第２制御部１２０が液晶ＯＮ状態に遷移する構成としてもよい。第１制御部１１０が待機状態に遷移する場合、第２制御部１２０は液晶ＯＮ状態に遷移する（復帰フラグ＝４）。
【００４８】
図３に説明を戻す。第２制御部１２０の電力状態制御部１２３は、予め定められた契機で電力状態を遷移させる。例えば、電力状態制御部１２３は、ネットワークＮからマジックパケットが受信された場合、電力状態を遷移させる。具体的には、電力状態制御部１２３は、復帰フラグ記憶部１２２が記憶した復帰フラグに応じて第２制御部１２０の電力状態を遷移させる（上述の図４参照）。
【００４９】
第２制御部１２０の電力状態制御部１２３は、ネットワークＮからマジックパケットが受信された場合、復帰フラグ記憶部１２２が記憶した復帰フラグに応じて、上述の状態制御信号ｘおよび状態制御信号ｙの状態（ＯＮ／ＯＦＦ）を変化させる。また、第２制御部１２０の電力状態制御部１２３は、ウェイクアップ信号を通信部１２１に送信させる。
【００５０】
第１制御部１１０の決定部１１２は、ウェイクアップ信号を受信した場合、第１制御部１１０が遷移する電力状態を決定する。具体的には、決定部１１２は、ウェイクアップ信号を受信した場合、状態制御信号ｘおよび状態制御信号ｙに応じて、第１制御部１１０が遷移する電力状態を決定する。電力状態制御部１１３は、決定部１１２が決定した電力状態へ第１制御部１１０を遷移させる。
【００５１】
図５は、第２制御部１２０（復帰フラグ記憶部１２２）が記憶する復帰フラグ、ウェイクアップ信号が送信される場合の状態制御信号（ｘ、ｙ）の状態、および、当該状態制御信号が入力された場合の第１制御部１１０の電力状態の遷移（復帰後の電力状態）を説明するための図である。
【００５２】
図５に示す通り、第２制御部１２０の復帰フラグが「４」の場合、ウェイクアップ信号が送信される時点において、状態制御信号ｘはＯＦＦ状態であり、状態制御信号ｙはＯＦＦ状態である。以上の場合、第１制御部１１０の電力状態は待機状態に復帰する。
【００５３】
第２制御部１２０の復帰フラグが「３」の場合、ウェイクアップ信号が送信される時点において、状態制御信号ｘはＯＮ状態であり、状態制御信号ｙはＯＦＦ状態である。以上の場合、第１制御部１１０の電力状態は低電力状態に復帰する。
【００５４】
第２制御部１２０の復帰フラグが「２」の場合、ウェイクアップ信号が送信される時点において、状態制御信号ｘはＯＦＦ状態であり、状態制御信号ｙはＯＮ状態である。以上の場合、第１制御部１１０の電力状態は静音状態に復帰する。
【００５５】
第２制御部１２０の復帰フラグが「１」の場合、ウェイクアップ信号が送信される時点において、状態制御信号ｘはＯＮ状態であり、状態制御信号ｙはＯＮ状態である。以上の場合、第１制御部１１０の電力状態はエンジンＯＦＦ状態に復帰する。
【００５６】
以上の通り、本実施形態では、第１制御部１１０は、ＳＴＲ状態（第１電力状態）でウェイクアップ信号（第１信号）を受信した場合、状態制御信号（第２信号）に応じて、電力状態を遷移する。以上の構成によれば、状態制御信号の状態を変化させることで、第１制御部１１０が遷移（復帰）する電力状態を変更できるという利点がある。
【００５７】
なお、本実施形態の第１制御部１１０は、ＳＴＲ状態でウェイクアップ信号を受信し、他の電力状態に遷移する構成とした。しかし、ＳＴＲ状態とは異なる電力状態（例えばエンジンＯＦＦ状態）でウェイクアップ信号を受信し、他の電力状態に遷移する構成としてもよい。すなわち、本実施形態では、「第１電力状態」としてＳＴＲ状態を想定したが、他の電力状態を「第１電力状態」として採用してもよい。
【００５８】
また、本実施形態の第２通信線ＬＢ（状態制御信号の通信路）は複数の信号線で構成され、複数の信号線を介して受信される信号の組合せに応じて、第１制御部１１０が復帰する電力状態が決定される。以上の構成によれば、例えば、第２信号線ＬＢが１本の構成と比較して、第１制御部１１０が復帰する電力状態の種類数を増加させることができる。
【００５９】
ただし、ウェイクアップ信号が受信された場合、１個の状態制御信号の状態（ＯＮ／ＯＦＦ）に応じて、第１制御部１１０の電力状態が決定される構成としてもよい。以上の構成では、２種類の電力状態の何れかに第１制御部１１０を復帰させることができる。
【００６０】
また、ウェイクアップ信号が受信された場合、３個以上の状態制御信号の状態に応じて、第１制御部１１０の電力状態が決定される構成としてもよい。以上の構成では、８種類以上の電力状態の何れかに第１制御部１１０を復帰させることができる。
【００６１】
ところで、以上の第１実施形態では、本体部１０および操作部２０は、電力状態が復帰する場合、第１信号線ＬＡを介してイーサネット（登録商標）規格の通信をする構成としたが、以上の構成は適宜に変更できる。例えば、ＵＳＢ（Universal Serial Bus）等の高速シリアルバスを第１信号線ＬＡとして採用してもよい。
【００６２】
しかし、高速シリアルバスは、通信可能な状態を維持するために、比較的大きな電力を要する。そこで、電力状態が復帰する以前の省電力状態では、消費電力が比較的小さいＩ２Ｃ（Inter Integrated Circuit）バスにより通信を開始可能な構成が好適である。以上の構成では、Ｉ２Ｃバスの通信により、電力状態が復帰する場合に必要な処理（初期化処理等）を実行し、その後、ＵＳＢによる通信が可能になる。
【００６３】
ただし、以上の構成では、Ｉ２Ｃバスによる通信に失敗した場合、ＵＳＢによる通信ができない。以上の場合、第１制御部１１０の電力状態を復帰させるための信号（ウェイクアップ信号、状態制御信号）が適当に受信されないという問題が生じる。本実施形態の構成では、電力状態を復帰させる場合にＩ２Ｃバスの通信に成功する必要が無いため、上述の問題が抑制されるという効果が奏せられる。
【００６４】
図６は、複合機１００（第１制御部１１０、第２制御部１２０）の電力状態が復帰するまでの具体例を説明するためのシーケンス図である。
【００６５】
第２制御部１２０は、上述した通り、電力状態が復帰する以前に復帰フラグを記憶する（図６のＳａ１）。その後、第２制御部１２０にマジックパケットが入力された場合（図６のＳａ２）、第２制御部１２０は、電力状態制御処理（図６のＳａ３）を実行する。
【００６６】
第２制御部１２０は、電力状態制御処理において、復帰フラグに応じた電力状態に復帰する。例えば、上述のステップＳａ１で復帰フラグ「４」が記憶された場合、その後の電力状態制御処理では、第２制御部１２０の電力状態が液晶ＯＮ状態に復帰する。一方、ステップＳａ１で復帰フラグ「１」から復帰フラグ「３」の何れかが記憶された場合、その後の電力状態制御処理では、第２制御部１２０の電力状態が液晶ＯＦＦ状態に復帰する。
【００６７】
第２制御部１２０は、電力状態制御処理を実行した後に、状態制御信号（ｘ、ｙ）を第１制御部１１０に送信する（図６のＳａ４）。また、第２制御部１２０は、ウェイクアップ信号を第１制御部１１０に送信する（図６のＳａ５）。
【００６８】
なお、第２制御部１２０が電力状態制御処理を実行する時期は適宜に変更可能である。例えば、状態制御信号およびウェイクアップ信号を送信した後に、電力状態制御処理が実行される構成としてもよい。また、状態制御信号より先にウェイクアップ信号が送信される構成としてもよい。
【００６９】
第１制御部１１０は、ウェイクアップ信号を受信した場合、電力状態決定処理（図６のＳａ６）を実行する。電力状態決定処理において、第１制御部１１０は、第２制御部１２０から受信した状態制御信号（ｘ、ｙ）を確認し、状態制御信号に応じた電力状態を決定する。例えば、ＯＦＦ状態の状態制御信号ｘおよびＯＦＦ状態の状態制御信号ｙを受信した場合、第１制御部１１０は、待機状態を決定する（上述の図５参照）。
【００７０】
第１制御部１１０は、電力状態決定処理を実行した後に、電力状態制御処理（図６のＳａ７）を実行する。具体的には、第１制御部１１０は、電力状態制御処理において、電力状態決定処理で決定した電力状態に復帰する。
【００７１】
＜第２実施形態＞
本発明の第２実施形態および第３実施形態を以下に説明する。なお、以下に例示する各形態において作用や機能が第１実施形態と同等である要素については、第１実施形態の説明で参照した符号を流用して各々の詳細な説明を適宜に省略する。
【００７２】
上述した第１実施形態では、復帰フラグが第２制御部１２０（復帰フラグ記憶部１２２）に予め記憶された。また、第２制御部１２０にマジックパケットが入力された場合、ウェイクアップ信号とともに当該復帰フラグに応じた状態制御信号（ｘ、ｙ）が第１制御部１１０に出力された。第１制御部１１０は、当該状態制御信号に応じた電力状態に復帰する。
【００７３】
第２実施形態では、第２制御部１２０に加え、第１制御部１１０に復帰フラグが記憶される。また、第１制御部１１０がネットワークＮからマジックパケットを受信できる。第１制御部１１０でマジックパケットが受信された場合、ウェイクアップ信号とともに当該復帰フラグに応じた状態制御信号（ｚ）が第２制御部１２０に出力される。第２制御部１２０は、当該状態制御信号に応じた電力状態に復帰する。
【００７４】
図７は、第２実施形態における各種の信号の一例を説明するための図である。第２実施形態の図７は、上述の第１実施形態の図２に対応する。
【００７５】
図７に示す通り、第２実施形態における第１制御部１１０の接続Ｉ／Ｆ１６は、上述の第１実施形態と同様に、データ通信用Ｉ／Ｆ１６ａおよび状態制御用Ｉ／Ｆ１６ｂを含む。また、第２実施形態における第２制御部１１０の接続Ｉ／Ｆ２６は、第１実施形態と同様に、データ通信用Ｉ／Ｆ２６ａおよび状態制御用Ｉ／Ｆ２６ｂを含む。
【００７６】
第２実施形態の第２信号線ＬＢは、第１実施形態で説明した第２信号線ＬＢ１および第２信号線ＬＢ２に加え、第２信号線ＬＢ３を含む。第２実施形態では、第２制御部１２０の電力状態を復帰させるために、第１制御部１１０の通信Ｉ／Ｆ１６ａからウェイクアップ信号が出力されるとともに、第１制御部１１０の接続Ｉ／Ｆ１６から状態制御信号ｚが出力される。状態制御信号ｚは、第２信号線ＬＢ３を介して、第２制御部１２０の接続Ｉ／Ｆ２６ｂに入力される。
【００７７】
なお、第１制御部１１０において、状態制御信号ｘおよび状態制御信号ｙが入力される状態制御用Ｉ／Ｆ１６ｂとは別に、状態制御信号ｚが出力されるＩ／Ｆを設けてもよい。また、第２制御部１２０において、状態制御信号ｘおよび状態制御信号ｙが出力される状態制御用Ｉ／Ｆ２６ｂとは別に、状態制御信号ｚが入力されるＩ／Ｆを設けてもよい。
【００７８】
状態制御信号ｚは、状態制御信号ｘおよび状態制御信号ｙと同様に、ＯＮ状態またはＯＦＦ状態に切替えられる。第２実施形態の第２制御部１２０は、ウェイクアップ信号が入力された場合、状態制御信号ｚに応じて、何れの電力状態に復帰するかを決定する。
【００７９】
図８は、第１制御部１１０が記憶する復帰フラグ、ウェイクアップ信号が送信される場合の状態制御信号ｚの状態、および、当該状態制御信号ｚが入力された場合の第２制御部１２０の電力状態の遷移（復帰後の電力状態）を説明するための図である。すなわち、上述の第１実施形態の図５では、状態制御信号（ｘ、ｙ）に応じて第１制御部１１０が復帰する電力状態を説明したが、第２実施形態の図８では、状態制御信号ｚに応じて第２制御部１２０が復帰する電力状態を説明する。
【００８０】
第２実施形態の第１制御部１１０は、第１実施形態の第２制御部１２０と同様に、復帰フラグを記憶する。第１制御部１１０の復帰フラグに応じて、第２制御部１２０が復帰する電力状態が規定される。例えば、上述の操作パネル２７をユーザが適宜に操作することで、第１制御部１１０に復帰フラグが記憶される。なお、複合機１００の開発段階において復帰フラグが記憶され、ユーザが変更できない構成としてもよい。
【００８１】
第１制御部１１０が記憶する各復帰フラグは、第２制御部１２０の液晶ＯＮ状態（上述の図４参照）に対応する復帰フラグ「１」および、第２制御部１２０の液晶ＯＦＦ状態（図４参照）に対応する復帰フラグ「２」を含む。図８に示す通り、第１制御部１１０は、復帰フラグ「１」の場合、ＯＦＦ状態の状態制御信号ｚを第２制御部１２０へ出力する。また、第１制御部１１０は、復帰フラグ「２」の場合、ＯＮ状態の状態制御信号ｚを第２制御部１２０へ出力する。
【００８２】
図８に示す通り、第２制御部１２０にウェイクアップ信号が入力された場合であって、第２制御部１２０にＯＦＦ状態の状態制御信号ｚが入力された場合、第２制御部１２０の電力状態は、液晶ＯＮ状態に復帰する。また、第２制御部１２０にウェイクアップ信号が入力された場合であって、第２制御部１２０にＯＮ状態の状態制御信号ｚが入力された場合、第２制御部１２０の電力状態は、液晶ＯＦＦ状態に復帰する。
【００８３】
図９は、複合機１００（第１制御部１１０、第２制御部１２０）の電力状態が復帰するまでの具体例を説明するためのシーケンス図である。上述の第１実施形態で説明した図６の具体例では、マジックパケットが外部（ネットワークＮ）から第２制御部１２０に入力され、ウェイクアップ信号および状態制御信号（ｘ、ｙ）が第２制御部１２０から第１制御部１１０に入力される具体例を示した。図９では、マジックパケットが外部から第１制御部１１０に入力される具体例を示す。
【００８４】
第１制御部１１０にマジックパケットが入力された場合（図９のＳｂ１）、第１制御部１１０は、電力状態制御処理（図９のＳｂ２）を実行する。以上の電力状態制御処理において、待機状態、低電力状態、静音状態、エンジンＯＦＦ状態の何れかに第１制御部１１０が復帰する。
【００８５】
例えば、第１制御部１１０が復帰フラグ「１」を記憶する場合（第２制御部１２０が液晶ＯＮ状態に復帰する場合）、第１制御部１１０の電力状態は、エンジンＯＦＦ状態、静音状態、低電力状態の何れかに復帰する。以上の各電力状態の何れに復帰するかは、予め定められる。
【００８６】
また、第１制御部１１０が復帰フラグ「２」を記憶する場合（第２制御部１２０が液晶ＯＦＦ状態に復帰する場合）、第１制御部１１０の電力状態は、待機状態に復帰する。ただし、各復帰フラグ（１、２）が記憶される場合に第１制御部１１０が遷移する電力状態は、適宜に変更してもよい。
【００８７】
第１制御部１１０は、電力状態制御処理を実行した後に、状態制御信号ｚを第２制御部１２０に送信する（図９のＳｂ３）。また、第１制御部１１０は、ウェイクアップ信号を第２制御部１２０に送信する（図９のＳｂ４）。
【００８８】
なお、第１制御部１１０が電力状態制御処理（Ｓｂ２）を実行する時期は適宜に変更可能である。例えば、状態制御信号ｚおよびウェイクアップ信号を送信した後に、電力状態制御処理が実行される構成としてもよい。また、状態制御信号ｚより先にウェイクアップ信号が送信される構成としてもよい。
【００８９】
第２制御部１２０は、ウェイクアップ信号を受信した場合、電力状態決定処理（図９のＳｂ５）を実行する。電力状態決定処理において、第２制御部１２０は、第１制御部１１０から受信した状態制御信号ｚを確認し、当該状態制御信号ｚに応じた電力状態を決定する。例えば、ＯＦＦ状態の状態制御信号ｚを受信した場合、第２制御部１２０は、液晶ＯＮ状態を決定する（上述の図８参照）。
【００９０】
第２制御部１２０は、電力状態決定処理を実行した後に、電力状態制御処理（図９のＳｂ６）を実行する。具体的には、第２制御部１２０は、電力状態制御処理において、電力状態決定処理で決定した電力状態に復帰する。
【００９１】
以上の第２実施形態では、上述の第１実施形態と同様な効果が奏せられる。なお、第１実施形態および第２実施形態では、ネットワークＮからのマジックパケットが第１制御部１１０（本体部１０）および第２制御部１２０（操作部２０）で受信される構成とした。しかし、第１制御部１１０と第２制御部１２０とで、マジックパケットを送信可能なネットワークが相違する構成としてもよい。例えば、第１ネットワークＮ１からのマジックパケットが第１制御部１１０で受信され、第１ネットワークとは異なる第２ネットワークＮ２からのマジックパケットが第２制御部１２０で受信される構成としてもよい。
【００９２】
＜第３実施形態＞
上述の第１実施形態および第２実施形態では、複数（２本）の第２信号線ＬＢを設け、第１制御部１１０を３種類以上（４種類）の電力状態の何れかに復帰可能な構成とした。第３実施形態では、１本の第２信号線ＬＢにより、第１制御部１１０を３種類以上の電力状態の何れかに復帰可能にする。
【００９３】
具体的には、第３実施形態では、第１制御部１１０および第２制御部１２０が第１信号線ＬＡおよび１本の第２信号線ＬＢを介して相互に接続される。上述の第１実施形態と同様に、第２制御部１２０から第１信号線ＬＡを介して第１制御部１１０へウェイクアップ信号が入力される。また、上述の第２実施形態と同様に、第１制御部１１０から第１信号線ＬＡを介して第２制御部１２０へウェイクアップ信号が入力される。
【００９４】
第３実施形態の第１制御部１１０および第２制御部１２０は、第２信号線ＬＢを介してシリアル通信をする。
【００９５】
例えば、第２制御部１２０から第１制御部１１０へウェイクアップ信号が入力される場合を想定する。以上の場合、第２信号線ＬＢを介して、第１制御部１１０の復帰後の電力状態を特定可能なデータ（以下「復帰後状態データ」という）がシリアル通信により第２制御部１２０から第１制御部１１０へ入力される。第１制御部１１０から第２制御部１２０へ入力される復帰後状態データとしては、待機状態が特定されるデータ、低電力状態が特定されるデータ、静音状態が特定されるデータおよびエンジンＯＦＦ状態が特定されるデータを含む。
【００９６】
第１制御部１１０は、ウェイクアップ信号を受信した場合、第２信号線ＬＢを介して受信した復帰後状態データを解析する。その後、第１制御部１１０は、当該復帰後状態データで特定される電力状態へ遷移する。
【００９７】
また、第１制御部１１０から第２制御部１２０へウェイクアップ信号が入力される場合を想定する。以上の場合、第２信号線ＬＢを介して、第２制御部１２０の復帰後の電力状態を特定可能な復帰後状態データが第１制御部１１０から第２制御部１２０へ入力される。第２制御部１２０から第１制御部１１０へ入力される復帰後状態データとしては、液晶ＯＦＦ状態が特定されるデータおよび液晶ＯＮ状態が特定されるデータを含む。
【００９８】
第２制御部１２０は、ウェイクアップ信号を受信した場合、第２信号線ＬＢを介して受信した復帰後状態データを解析する。その後、第２制御部１２０は、当該復帰後状態データで特定される電力状態へ遷移する。
【００９９】
以上の第３実施形態によれば、上述の第１実施形態および第２実施形態と同様な効果が奏せられる。また、第３実施形態によれば、１本の第２信号線ＬＢにより、第１制御部１１０を３種類以上の電力状態の何れかに復帰可能にするため、例えば、第１実施形態および第２実施形態と比較して、第２信号線ＬＢの本数を減らすことができるという利点がある。
【０１００】
＜本実施形態の態様例の作用、効果のまとめ＞
＜第１態様＞
本態様の情報処理装置は、第１電力状態（ＳＴＲ状態）、第１電力状態よりも消費電力の大きい第２電力状態（エンジンＯＦＦ状態）、および、第２電力状態よりも消費電力の大きい第３電力状態（静音状態）を含む電力状態の何れかへ遷移する第１制御部（第１制御部１１０）と、第１通信路（第１信号線ＬＡ）を介して第１信号（ウェイクアップ信号）を第１制御部へ入力可能であるとともに、第１通信路とは異なる第２通信路（第２信号線ＬＢ）を介して第２信号（状態制御信号）を第１制御部へ入力可能な第２制御部（第２制御部１２０）とを具備する情報処理装置であって、第１制御部は、第１電力状態で第１信号が入力された場合、第２信号に応じて、第２電力状態および第３電力状態の何れの電力状態に遷移するかを決定する（図５参照）ことを特徴とする。
本態様によれば、情報処理装置の復帰後電力状態が第２信号に応じて変更可能になる。
【０１０１】
＜第２態様＞
本態様の情報処理装置は、第２通信路は複数の信号線（第２信号線ＬＢ１、第２信号線ＬＢ２）で構成され、第１制御部は、複数の信号線を介して受信される信号の組合せに応じて、遷移する電力状態を決定する、ことを特徴とする。
本態様によれば、例えば１本の信号線の信号（ＯＮ状態／ＯＦＦ状態）に応じて、復帰後電力状態が決定される構成と比較して、復帰後電力状態の種類数を増やすことができる。
【０１０２】
＜第３態様＞
本態様の情報処理装置は、第１通信路は、第１信号を含む各種の信号を送信するイーサネット（登録商標）規格の信号線であり、第２通信路は、第２信号を送信するための専用の信号線であることを特徴とする。
本態様によれば、例えば、第１信号を送信する信号線とは別に各種の信号を送信する信号線を設ける構成と比較して、信号線の本数を削減できる。
【０１０３】
＜第４態様＞
本態様の情報処理方法は、第１電力状態、第１電力状態よりも消費電力の大きい第２電力状態、および、第２電力状態よりも消費電力の大きい第３電力状態を含む電力状態の何れかへ第１制御部を遷移させるステップと、第１通信路を介して第１信号を第２制御部から第１制御部へ入力するステップ（図６のＳａ４）と、第１通信路とは異なる第２通信路を介して第２信号を第２制御部から第１制御部へ入力するステップ（図６のＳａ５）とを具備する情報処理方法であって、第１電力状態で第１信号が第１制御部へ入力された場合、第２信号に応じて、第２電力状態および第３電力状態の何れの電力状態へ第１制御部を遷移させるかを決定するステップ（図６のＳａ７）を備えることを特徴とする。
本態様によれば、上述の第１態様と同様に、情報処理装置の復帰後電力状態が第２信号に応じて変更可能になる。
【０１０４】
＜第５態様＞
本態様のプログラムは、第４態様における各ステップをコンピュータに実行させることを特徴とする。
本態様によれば、上述の第１態様と同様に、情報処理装置の復帰後電力状態が第２信号に応じて変更可能になる。
【符号の説明】
【０１０５】
１０…情報処理装置、１００…処理部、１０１…ロギング実行部、１０２…転送制御部、１０３…算出部、１０４…プロセス実行部、１１０…第１記憶領域、１１１…第１領域、１１２…第２領域、１２０…第２記憶装置、１３０…第３記憶部。
【先行技術文献】
【特許文献】
【０１０６】
【特許文献１】特許第５９９４２２６号公報
【図１】
2019161582.tif 000003
【図２】
2019161582.tif 000004
【図３】
2019161582.tif 000005
【図４】
2019161582.tif 000006
【図５】
2019161582.tif 000007
【図６】
2019161582.tif 000008
【図７】
2019161582.tif 000009
【図８】
2019161582.tif 000010
【図９】
2019161582.tif 000011